(57)【要約】【課題】指から脱落しにくい指用治療材を提供する。【解決手段】指用治療材１は、患部を有する指に固定される指用治療材であって、支持体１０、及び膏体２０を備えている。支持体１０は、先端部１０ａが閉塞された筒状をしている。指用治療材１の装着時、支持体１０には、指が挿入される。膏体２０は、支持体１０の内面上に設けられている。膏体２０は、患部に作用する部分（作用部）である。【選択図】図１
2019213948.tif 000002
【特許請求の範囲】
【請求項１】
患部を有する指に固定される指用治療材であって、
先端部が閉塞された筒状をしており、前記指が挿入される基部と、
前記基部の内面上に設けられ、前記患部に作用する作用部と、
を備えることを特徴とする指用治療材。
【請求項２】
請求項１に記載の指用治療材において、
前記基部は、当該基部の周方向に伸縮性を有する指用治療材。
【請求項３】
請求項２に記載の指用治療材において、
前記基部の周方向の伸縮率は、１５０％以上である指用治療材。
【請求項４】
請求項１乃至３の何れかに記載の指用治療材において、
前記基部は、防水性を有している指用治療材。
【請求項５】
請求項１乃至４の何れかに記載の指用治療材において、
前記基部は、通気性を有している指用治療材。
【請求項６】
請求項１乃至５の何れかに記載の指用治療材において、
前記基部は、エラストマーからなる指用治療材。
【請求項７】
請求項６に記載の指用治療材において、
前記基部は、熱可塑性エラストマーからなる指用治療材。
【請求項８】
請求項７に記載の指用治療材において、
前記基部は、スチレン系エラストマーからなる指用治療材。
【請求項９】
請求項１乃至８の何れかに記載の指用治療材において、
前記作用部は、薬剤を含有する指用治療材。
【請求項１０】
請求項１乃至９の何れかに記載の指用治療材において、
前記作用部は、前記基部の前記内面の一部にのみ設けられている指用治療材。
【請求項１１】
請求項１乃至９の何れかに記載の指用治療材において、
前記作用部は、前記基部の前記内面の全体に設けられている指用治療材。
【請求項１２】
請求項１乃至１１の何れかに記載の指用治療材において、
前記基部の前記内面上に設けられ、前記指に対して粘着性を有する粘着部を備える指用治療材。
【請求項１３】
請求項１２に記載の指用治療材において、
前記粘着部は、前記基部の前記内面の一部にのみ設けられている指用治療材。
【請求項１４】
請求項１２に記載の指用治療材において、
前記粘着部は、前記基部の前記内面の全体に設けられている指用治療材。
【請求項１５】
請求項１２乃至１４の何れかに記載の指用治療材において、
前記作用部は、前記指に対して粘着性を有しており、前記粘着部を兼ねている指用治療材。
【請求項１６】
請求項１乃至１５の何れかに記載の指用治療材において、
前記作用部を覆うように、前記基部に剥離可能に貼着された保護シートを備える指用治療材。
【請求項１７】
請求項１乃至１６の何れかに記載の指用治療材において、
相異なる長さを有する複数の前記基部を備え、
前記各基部の前記内面上に前記作用部が設けられている指用治療材。
【請求項１８】
請求項１乃至１７の何れかに記載の指用治療材において、
相異なる径を有する複数の前記基部を備え、
前記各基部の前記内面上に前記作用部が設けられている指用治療材。
【請求項１９】
請求項１乃至１８の何れかに記載の指用治療材において、
当該指用治療材は、湿布である指用治療材。
【請求項２０】
請求項１乃至１８の何れかに記載の指用治療材において、
当該指用治療材は、絆創膏である指用治療材。
【発明の詳細な説明】
【技術分野】
【０００１】
本発明は、指に固定される指用治療材に関する。
【背景技術】
【０００２】
従来から、病気や怪我により身体の一部が痛む場合、その患部を覆って治癒を促す治療材が用いられてきた。例えば特許文献１には、かかる治療材の１つである湿布が記載されている。同文献に記載された湿布は、平面的なシート状の支持体と、支持体上に塗布された湿布薬剤層とを備えている。湿布薬剤層は、皮膚に対して粘着性を有している。この湿布は、湿布薬剤層の粘着力により、皮膚に貼着されて患部に固定される。
【先行技術文献】
【特許文献】
【０００３】
【特許文献１】特開２００８−２７３８９２号公報
【発明の概要】
【発明が解決しようとする課題】
【０００４】
上述の湿布は、患部が手や足の指に存在する場合であっても、指に巻き付けるように貼着することにより、当該指に固定することができる。しかしながら、従来の湿布は、指を動かしたときなどに、剥がれて指から脱落しやすいという問題があった。
【０００５】
本発明は、上記課題に鑑みてなされたものであり、指から脱落しにくい指用治療材を提供することを目的とする。
【課題を解決するための手段】
【０００６】
本発明による指用治療材は、患部を有する指に固定される指用治療材であって、先端部が閉塞された筒状をしており、上記指が挿入される基部と、上記基部の内面上に設けられ、上記患部に作用する作用部と、を備えることを特徴とする。
【０００７】
この指用治療材においては、基部が、先端部が閉塞された筒状をしている。かかる構造の基部に指を挿入することにより、指用治療材を当該指に装着することができる。このように基部を指に嵌装することにより、指用治療材を指に安定的に固定することができる。
【発明の効果】
【０００８】
本発明によれば、指から脱落しにくい指用治療材が実現される。
【図面の簡単な説明】
【０００９】
【図１】本発明による指用治療材の第１実施形態を示す斜視図である。
【図２】図１のII−II線に沿った端面図である。
【図３】図１のIII−III線に沿った端面図である。
【図４】支持体１０の周方向の伸縮率について説明するための図である。
【図５】図１の指用治療材の装着方法を説明するための図である。
【図６】本発明による指用治療材の第２実施形態を示す斜視図である。
【図７】図６のVII−VII線に沿った端面図である。
【図８】図６のVIII−VIII線に沿った端面図である。
【図９】図６のIX−IX線に沿った端面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による指用治療材の第１実施形態を示す斜視図である。また、図２及び図３は、それぞれ、図１のII−II線及びIII−III線に沿った端面図である。指用治療材１は、患部を有する指に固定される湿布（指用治療材）であって、支持体１０（基部）、膏体２０、及び保護シート３０を備えている。指は、手の指であってもよいし、足の指であってもよい。
【００１２】
支持体１０は、指を収容可能な形状に予め成形されている。具体的には、支持体１０は、先端部１０ａが閉塞された筒状をしている。指用治療材１の装着時、支持体１０には、指が挿入される。先端部１０ａは、支持体１０に指が挿入された状態で、当該指の先端を覆う。先端部１０ａは、ドーム状をしている。支持体１０の後端部１０ｂは、開放されている。後端部１０ｂは、指の挿入口となる環状の部分である。
【００１３】
支持体１０の長さ（図１及び図２の上下方向の寸法）は、指用治療材１が装着される指の長さに略等しくてもよいし、当該指の長さより小さくてもよい。すなわち、支持体１０は、指全体を挿入可能な長さを有していてもよいし、指の一部のみを挿入可能な長さを有していてもよい。
【００１４】
支持体１０は、その周方向に伸縮性を有している。支持体１０の周方向の伸縮率は、１５０％以上であることが好ましく、２００％以上であることがより好ましい。ここで、支持体１０の周方向の伸縮率は、図４に示すように、支持体１０の最大周長Ｌ１の自然周長Ｌ０に対する割合として定義される。同図は、支持体１０を先端部１０ａの側から見た図である。自然周長Ｌ０は、支持体１０が力を受けていない状態での周長に等しい。最大周長Ｌ１は、支持体１０を径方向に弾性限度まで拡張したときの周長に等しい。支持体１０は、その長さ方向にも伸縮性を有していてもよい。
【００１５】
支持体１０は、柔らかい素材からなる。支持体１０の材料としては、例えば、エラストマー、プラスチック、織布、不織布等を用いることができる。エラストマーは、熱可塑性エラストマーであることが好ましく、スチレン系エラストマーであることが特に好ましい。不織布は、天然繊維又は化学繊維の何れからなるものであってもよいし、天然繊維及び化学繊維の双方からなるものであってもよい。不織布として、セルロースナノファイバー不織布を用いてもよい。また、支持体１０は、防水性及び／又は通気性を有していることが好ましい。支持体１０に防水性をもたせる場合、防水素材を用いてもよいし、非防水素材に防水加工を施したものを用いてもよい。支持体１０に通気性をもたせる場合、通気性素材を用いてもよいし、非通気性素材に多数の通気孔を形成したものを用いてもよい。支持体１０の材料として、防水透湿性素材を用いてもよい。
【００１６】
図１〜図３に戻って、膏体２０は、支持体１０の内面上に設けられている。本実施形態において膏体２０は、支持体１０の内面の全体に設けられている。膏体２０は、患部に作用する部分（作用部）である。膏体２０は、患部を直接覆って当該患部の治癒を促す。膏体２０は、薬剤（湿布用薬剤）を含有している。膏体２０は、指（皮膚）に対して粘着性を有している。すなわち、指用治療材１においては、作用部である膏体２０が、指に対して粘着性を有する粘着部を兼ねている。膏体２０の材料としては、公知の湿布における膏体と同様の材料を用いることができる。
【００１７】
保護シート３０は、膏体２０を覆うように、支持体１０に剥離可能に貼着されている。すなわち、支持体１０の内面に膏体２０を介して保護シート３０が剥離可能に貼着されている。ここで、剥離可能とは、支持体１０及び膏体２０の何れをも損傷することなく、支持体１０から保護シート３０を容易に剥がせるということである。保護シート３０としては、例えばプラスチックフィルムを用いることができる。保護シート３０は、剥離しやすいように、互いに別体に設けられた複数のシート片からなっていてもよい。
【００１８】
図５を参照しつつ、指用治療材１を指に装着する方法の一例を説明する。まず、装着に先立って、膏体２０上の保護シート３０を剥離する。次に、同図に示すように、支持体１０の内部空間に指９０が挿入されるように、支持体１０を指９０に被せる。これにより、指９０に指用治療材１が固定され、患部が膏体２０で覆われた状態が維持される。
【００１９】
指用治療材１の効果を説明する。指用治療材１においては、支持体１０が、先端部１０ａが閉塞された筒状をしている。かかる構造の支持体１０に指を挿入することにより、指用治療材１を当該指に装着することができる。このように支持体１０を指に嵌装することにより、指用治療材１を指に安定的に固定することができる。したがって、指から脱落しにくい指用治療材１が実現されている。
【００２０】
支持体１０は、その周方向に伸縮性を有している。この場合、支持体１０を径方向に拡張することにより、保護シート３０の剥離及び指用治療材１の装着を行いやすくなる。また、支持体１０の収縮力により、装着後に指用治療材１を指に密着させやすくなる。これにより、指用治療材１が指から一層脱落しにくくなる。これらの効果を充分に引き出す観点から、支持体１０の周方向の伸縮率は、１５０％以上であることが好ましく、２００％以上であることがより好ましい。
【００２１】
支持体１０が防水性を有している場合、指用治療材１と指との間に水分が浸入しにくくなる。そのため、指用治療材１を指に装着したままでも、入浴や水仕事を行いやすくなる。また、支持体１０が通気性を有している場合、指用治療材１を装着した指が蒸れにくくすることができる。
【００２２】
支持体１０がエラストマーからなる場合、伸縮性及び防水性に優れた支持体１０を容易に実現することができる。特に支持体１０が熱可塑性エラストマーからなる場合、支持体１０の成形が容易になる。スチレン系エラストマーは、かかる熱可塑性エラストマーとして好適に用いることができる。
【００２３】
膏体２０は、薬剤を含有している。これにより、患部に対する治療効果を高めることができる。
【００２４】
膏体２０は、支持体１０の内面の全体に設けられている。この場合、指用治療材１を指に装着する際、膏体２０を患部の位置に合わせる手間を省くことができる。すなわち、支持体１０の内面全体に膏体２０が存在するため、指の患部を含む部分を支持体１０内に挿入しさえすれば、患部が膏体２０で覆われた状態を実現することができる。ただし、膏体２０は、支持体１０の内面の一部にのみ設けられていてもよい。
【００２５】
支持体１０の内面上には、粘着部（膏体２０）が設けられている。この場合、粘着部の粘着力により支持体１０を指に貼着することができるため、指に対する指用治療材１の固定を強化することができる。
【００２６】
粘着部は、支持体１０の内面の全体に設けられている。これにより、支持体１０の全体を指に貼着することができるため、指に対する指用治療材１の固定を特に強化することができる。ただし、粘着部は、支持体１０の内面の一部にのみ設けられていてもよい。
【００２７】
作用部である膏体２０が、上記粘着部を兼ねている。これにより、支持体１０の内面において作用部と粘着部とを別々の領域に設ける必要がないため、作用部及び粘着部の双方を広範囲に設けることができる。
【００２８】
膏体２０を覆うように保護シート３０が設けられている。これにより、指用治療材１の装着前に膏体２０が汚損して、その治療効果や粘着力が低下してしまうのを防ぐことができる。
（第２実施形態）
【００２９】
図６は、本発明による指用治療材の第２実施形態を示す斜視図である。また、図７、図８及び図９は、それぞれ、図６のVII−VII線、VIII−VIII線及びIX−IX線に沿った端面図である。指用治療材２は、患部を有する指に固定される絆創膏（指用治療材）であって、基材４０（基部）、パッド５０、粘着層６０、及び保護シート７０を備えている。
【００３０】
基材４０は、指を収容可能な形状に予め成形されている。具体的には、基材４０は、先端部４０ａが閉塞された筒状をしている。指用治療材２の装着時、基材４０には、指が挿入される。先端部４０ａは、基材４０に指が挿入された状態で、当該指の先端を覆う。先端部４０ａは、ドーム状をしている。基材４０の後端部４０ｂは、開放されている。後端部４０ｂは、指の挿入口となる環状の部分である。
【００３１】
基材４０の長さ（図６及び図７の上下方向の寸法）は、指用治療材２が装着される指の長さに略等しくてもよいし、当該指の長さより小さくてもよい。すなわち、基材４０は、指全体を挿入可能な長さを有していてもよいし、指の一部のみを挿入可能な長さを有していてもよい。
【００３２】
基材４０は、その周方向に伸縮性を有している。基材４０の周方向の伸縮率は、１５０％以上であることが好ましく、２００％以上であることがより好ましい。基材４０の周方向の伸縮率の定義は、支持体１０の周方向の伸縮率の定義と同様である。基材４０は、その長さ方向にも伸縮性を有していてもよい。
【００３３】
基材４０は、柔らかい素材からなる。基材４０の材料としては、例えば、エラストマー、プラスチック、織布、不織布等を用いることができる。エラストマーは、熱可塑性エラストマーであることが好ましく、スチレン系エラストマーであることが特に好ましい。不織布は、天然繊維又は化学繊維の何れからなるものであってもよいし、天然繊維及び化学繊維の双方からなるものであってもよい。不織布として、セルロースナノファイバー不織布を用いてもよい。また、基材４０は、防水性及び／又は通気性を有していることが好ましい。基材４０に防水性をもたせる場合、防水素材を用いてもよいし、非防水素材に防水加工を施したものを用いてもよい。基材４０に通気性をもたせる場合、通気性素材を用いてもよいし、非通気性素材に多数の通気孔を形成したものを用いてもよい。基材４０の材料として、防水透湿性素材を用いてもよい。
【００３４】
パッド５０は、基材４０の内面上に設けられている。本実施形態においてパッド５０は、基材４０の内面の一部（先端部４０ａを含む部分）にのみ設けられている。パッド５０は、患部に作用する部分（作用部）である。パッド５０は、患部を直接覆って当該患部の治癒を促す。パッド５０は、薬剤を含有していてもよいし、含有していなくてもよい。パッド５０の材料としては、公知の絆創膏におけるパッドと同様の材料を用いることができる。
【００３５】
粘着層６０は、基材４０の内面上に設けられている。本実施形態において粘着層６０は、基材４０の内面の一部（パッド５０が設けられていない部分）にのみ設けられている。粘着層６０は、指に対して粘着性を有する部分（粘着部）である。粘着層６０の材料としては、公知の絆創膏における粘着層と同様の材料を用いることができる。
【００３６】
かかる構成のパッド５０及び粘着層６０は、例えば、次のようにして形成することができる。まず、基材４０の内面の全体に粘着層６０を構成する粘着剤を塗布する。次に、基材４０の内面における所定の部分に粘着剤を介してパッド５０を貼り付ける。そうすることにより、粘着剤におけるパッド５０で覆われていない部分が、粘着層６０となる。粘着剤におけるパッド５０で覆われた部分は、後述する保護シート７０を剥離した後も露出せず、それゆえ指に対して粘着性を有しないため、粘着層６０には該当しない。なお、図７及び図８においては、パッド５０下の粘着剤を図示していない。
【００３７】
保護シート７０は、パッド５０及び粘着層６０を覆うように、基材４０に剥離可能に貼着されている。すなわち、基材４０の内面にパッド５０及び粘着層６０を介して保護シート７０が剥離可能に貼着されている。ここで、剥離可能とは、基材４０、パッド５０及び粘着層６０の何れをも損傷することなく、基材４０から保護シート７０を容易に剥がせるということである。保護シート７０としては、例えば剥離紙を用いることができる。保護シート７０は、剥離しやすいように、互いに別体に設けられた複数のシート片からなっていてもよい。
【００３８】
指用治療材２の効果を説明する。指用治療材２においては、基材４０が、先端部４０ａが閉塞された筒状をしている。かかる構造の基材４０に指を挿入することにより、指用治療材２を当該指に装着することができる。このように基材４０を指に嵌装することにより、指用治療材２を指に安定的に固定することができる。したがって、指から脱落しにくい指用治療材２が実現されている。
【００３９】
基材４０は、その周方向に伸縮性を有している。この場合、基材４０を径方向に拡張することにより、保護シート７０の剥離及び指用治療材２の装着を行いやすくなる。また、基材４０の収縮力により、装着後に指用治療材２を指に密着させやすくなる。これにより、指用治療材２が指から一層脱落しにくくなる。これらの効果を充分に引き出す観点から、基材４０の周方向の伸縮率は、１５０％以上であることが好ましく、２００％以上であることがより好ましい。
【００４０】
基材４０が防水性を有している場合、指用治療材２と指との間に水分が浸入しにくくなる。そのため、指用治療材２を指に装着したままでも、入浴や水仕事を行いやすくなる。また、基材４０が通気性を有している場合、指用治療材２を装着した指が蒸れにくくすることができる。
【００４１】
基材４０がエラストマーからなる場合、伸縮性及び防水性に優れた基材４０を容易に実現することができる。特に基材４０が熱可塑性エラストマーからなる場合、基材４０の成形が容易になる。スチレン系エラストマーは、かかる熱可塑性エラストマーとして好適に用いることができる。
【００４２】
パッド５０が薬剤を含有している場合、患部に対する治療効果を高めることができる。
【００４３】
パッド５０は、基材４０の内面の一部にのみ設けられている。このようにパッド５０が設けられる領域を限定することは、パッド５０の材料調達コストひいては指用治療材２の製造コストの削減に資する。また、基材４０の内面の残部（パッド５０が設けられていない部分）に、他の機能を有する層（本実施形態においては粘着層６０）を設けることが可能となる。ただし、パッド５０は、基材４０の内面の全体に設けられていてもよい。
【００４４】
基材４０の内面上には、粘着層６０が設けられている。この場合、粘着層６０の粘着力により基材４０を指に貼着することができるため、指に対する指用治療材２の固定を強化することができる。
【００４５】
粘着層６０は、支持体１０の内面の一部にのみ設けられている。これにより、粘着層６０をパッド５０とは別の領域に設けることが可能となるため、粘着層６０が傷口（患部）に貼り付くのを防ぐことができる。ただし、粘着層６０は、基材４０の内面の全体に設けられていてもよい。
【００４６】
パッド５０及び粘着層６０を覆うように保護シート７０が設けられている。これにより、指用治療材２の装着前にパッド５０又は粘着層６０が汚損して、パッド５０の治療効果や粘着層６０の粘着力が低下してしまうのを防ぐことができる。
【００４７】
本実施形態においては、粘着層６０を設ける代わりに、パッド５０に粘着性をもたせてもよい。すなわち、作用部であるパッド５０が粘着部を兼ねるようにしてもよい。その場合、例えば、基材４０としてポリウレタンフィルムを用いるとともに、パッド５０としてハイドロコロイド素材を用いることができる。ハイドロコロイド素材は、粘着剤（疎水性ポリマー）及びハイドロコロイド粒子（親水性ポリマー）からなる。
【００４８】
本発明は、上記実施形態に限定されるものではなく、様々な変形が可能である。上記実施形態において指用治療材１は、相異なる長さを有する複数の支持体１０を備えていてもよい。その場合、各支持体１０の内面上に、膏体２０及び保護シート３０が設けられる。このように長さの異なる複数の支持体１０を設けることにより、患部が存在する指の長さに応じて最適な支持体１０を選択することが可能となる。例えば、患部が手の中指に存在するときは長さが最大の支持体１０を選択する一方、患部が手の親指に存在するときは長さが最小の支持体１０を選択することができる。
【００４９】
具体例として、患部が手の中指に存在する場合において、中指全体を挿入可能な長さを有する支持体１０、中指の第２関節まで挿入可能な長さを有する支持体１０、及び中指の第１関節まで挿入可能な長さを有する支持体１０の３つを設けることが考えられる。その場合、患部の位置や広狭に応じて最適な支持体１０を選択することが可能となる。例えば、中指の根本付近に患部があるときは長さが最大の支持体１０を選択する一方、中指の先端付近に患部があるときは長さが最小の支持体１０を選択することができる。同様に、指用治療材２は、相異なる長さを有する複数の基材４０を備えていてもよい。その場合、各基材４０の内面上に、パッド５０、粘着層６０及び保護シート７０が設けられる。
【００５０】
上記実施形態において指用治療材１は、相異なる径を有する複数の支持体１０を備えていてもよい。その場合、各支持体１０の内面上に、膏体２０及び保護シート３０が設けられる。このように径の異なる複数の支持体１０を設けることにより、患部が存在する指の太さに応じて最適な支持体１０を選択することが可能となる。例えば、患部が親指に存在するときは径が最大の支持体１０を選択する一方、患部が小指に存在するときは径が最小の支持体１０を選択することができる。なお、複数の支持体１０は、長さ及び径の双方を異にしていてもよい。同様に、指用治療材２は、相異なる径を有する複数の基材４０を備えていてもよい。その場合、各基材４０の内面上に、パッド５０、粘着層６０及び保護シート７０が設けられる。
【００５１】
上記実施形態においては、粘着部が設けられた場合を例示した。しかし、指用治療材１において粘着部を設けることは必須でない。粘着部を設けない場合（膏体２０に粘着性をもたせない場合）、保護シート３０自体に粘着性をもたせることにより、保護シート３０を支持体１０に剥離可能に貼着することができる。同様に、指用治療材２において粘着部を設けることも必須でない。
【００５２】
上記実施形態においては、保護シートが設けられた場合を例示した。しかし、指用治療材１において保護シート３０を設けることは必須でなく、指用治療材２において保護シート７０を設けることも必須でない。
【符号の説明】
【００５３】
１  指用治療材
２  指用治療材
１０  支持体（基部）
１０ａ  先端部
１０ｂ  後端部
２０  膏体（作用部、粘着部）
３０  保護シート
４０  基材（基部）
４０ａ  先端部
４０ｂ  後端部
５０  パッド（作用部）
６０  粘着層（粘着部）
７０  保護シート
９０  指
【図１】
2019213948.tif 000003
【図２】
2019213948.tif 000004
【図３】
2019213948.tif 000005
【図４】
2019213948.tif 000006
【図５】
2019213948.tif 000007
【図６】
2019213948.tif 000008
【図７】
2019213948.tif 000009
【図８】
2019213948.tif 000010
【図９】
2019213948.tif 000011